(57)【要約】【課題】通常外国為替証拠金取引の注文は価格を指定して注文する方式で、売買価格を決めて発注していては値が動いてしまって、有効な注文が出来ない場合が多い。この、単純な売買価格の入力作業を自動化すれば価格をチェックせずとも、最も適した注文を発注できる。【解決手段】新規注文を出す場合の具体的な手順は、図２に示すよう注文執行ボタンの押下によりステップ式に始まる。ステップ１〜３を成行注文の発注方法とする。ステップ４〜６を指値・逆指値注文の発注方法とする。未決済のポジションに関しては図４に示すように選択して利益・損失の調整のために指値・逆指値を上書きでき、また、成行決済もできる。【選択図】図２
2010231749.tif 000002
【特許請求の範囲】
【請求項１】
インターネットに接続された端末より外国為替証拠金取引取扱会社への注文をユーザが操作する場合、価格で注文するのではなく利益・損失のみを指定して売買することを特徴とする金融オーダー情報システム。
【請求項２】
前記インターネットを介して注文する瞬間、情報システムが現在価格を取得しその価格に対する利益・損失を相対的に価格値に変換して自動的に入力し、同時に約定後の決済注文（利益・損失共）も自動入力することを特徴とした金融オーダー情報システム。
【請求項３】
前記注文を出した際、注文の約定状態を外国為替証拠金取引取扱会社から取得し、自システム上で約定履歴を一覧表示させることを特徴とした金融オーダー情報システム。
【請求項４】
前記約定履歴一覧表示より、約定した注文に対して後から選択して利益・損失の調整のために外国為替証拠金取引取扱会社のポジションの指値・逆指値を上書きできることを特徴とした金融オーダー情報システム。
【請求項５】
前記約定履歴一覧表示より、約定した注文に対して後から選択して外国為替証拠金取引取扱会社のポジションを成行決済できることを特徴とした金融オーダー情報システム。
【発明の詳細な説明】
【技術分野】
【０００１】本発明は、インターネット等の情報システムを用いて外国為替（外国為替証拠金取引）の注文をパソコンや携帯電話等の端末から行う場合、ユーザが現在価格を意識することなく、利益・損失のみを指定してその取引処理を円滑かつ迅速に実行し得るようにした情報システムを用いた半自動注文の仕組みを用いた金融オーダー情報システムに関する。
【背景技術】
【０００２】２４時間絶え間なく取引が行われる世界最大の金融市場は外国為替市場であり、１日の取引はニュージーランドのウェリントンで始まり、東京を中心とするアジアを経てヨーロッパへ引き継がれ、ニューヨークを中心とするアメリカで終了する。取引の対象となるのは各国の通貨であり、米国ドルを日本円建てで取引するＵＳドル／日本円、ユーロを米国ドル建てで取引するユーロ／ＵＳドルを始めとする通貨ペアがスポット取引、フォワード取引、オプション取引などで取引されている。外国為替市場の中心となるのは銀行同士が取引を行うインターバンク市場であり、インターバンク市場の為替レートが取引の指標となっている。
【発明の開示】
【発明が解決しようとする課題】
【０００３】通常外国為替証拠金取引の注文は価格を指定して注文する方式である。現在の価格をチェックして、外国為替証拠金取引取扱会社が受注可能な値を指定して売買注文を発注するのが常である。しかし、短時間でデイトレードを行う場合、価格を事前にチェックして売買価格を決めて発注していては値が動いてしまって、有効な注文が出来ない場合が多い。この、人の手で判断している単純な売買価格の入力作業を自動化すれば価格をチェックせずとも、その瞬間に最も適した注文を発注できる金融オーダー情報システムを提供するものである。
【課題を解決するための手段】
【０００４】システムを利用可能な状態にするため外国為替証拠金取引取扱会社のユーザＩＤやパスワードを端末システム内ローカルに図１のように設定保存する。ローカルに指定するのはユーザＩＤとパスワードが外部に流出する事を防ぐためと本システム提供者が他の人のＩＤやパスワードを悪用しない為の措置である。【０００５】また、外国為替証拠金取引取扱会社と本システム提供者が同一の場合、ユーザＩＤやパスワードはシステム内ローカルに保存する必要は無く、サーバ内で処理した方が流出を考慮する必要がなく安全でもある。【０００６】注文の発注方式は成行注文と指値・逆指値注文の２種類があり、それぞれ全く違う注文形態を行う。例えば新規に成行で注文を出す場合の具体的な手順は、図２に示すよう注文執行ボタンの押下によりステップ式に始まる、ステップ１〜３を成行注文の発注方法とする。同じく図２に示す、ステップ４〜６を指値・逆指値注文の発注方法とする。また、外国為替証拠金取引方法は、約定金額、約定後の決済金額、約定後の損切り金額を必ず注文するという動作を基本手法と定めた取引手法内で利用する手法である。【０００７】ステップ１は本システムで注文執行ボタンを押した瞬間、成行価格で注文を外国為替証拠金取引取扱会社のサーバに発注する。【０００８】ステップ２では発注し約定した価格を外国為替証拠金取引取扱会社のサーバより読み取り、あらかじめ本システムのユーザインターフェースで定めた利益・損失の値より、決済用の指値・逆指値の値を決定する。【０００９】ステップ３として約定したポジションに対して、決済用の指値・逆指値の値を外国為替証拠金取引取扱会社サーバに決済注文する。【００１０】指値注文の場合はあらかじめ本システムのユーザインターフェースで価格との相対値を指値差及び逆指値差として定めておく。
その場合、ステップ４として注文執行ボタンを押した瞬間の価格を外国為替証拠金取引取扱会社サーバより取得し、指値差及び逆指値差より指値・逆指値を計算する。【００１１】ステップ５はステップ４で計算した指値・逆指値と本システムのユーザインターフェースで定めた利益・損失の値より、決済用の指値・逆指値の値を決定する。【００１２】ステップ６として約定用指値・逆指値と、決済用の指値・逆指値の値を外国為替証拠金取引取扱会社サーバに注文発注する。【００１３】約定した注文は図３に示す約定履歴一覧として表示させ、未決済のポジションに関しては図４に示すように選択して利益・損失の調整のために指値・逆指値を上書きでき、また、成行決済もできる。
【発明の効果】
【００１４】本発明において、既存の価格ベースの取引方法ではその瞬間の価格を読み取って、注文内容を入力して注文発注する方法では、手作業が多く瞬間的に値が動く相場では適切な注文内容を瞬間的に入力し発注する事は不可能であった。しかし、注文で必要とする約定金額、約定後の決済金額、約定後の損切り金額を、価格相対値で決める事により機械的な価格設定が可能な自動的な値決め注文の仕組みからなる金融オーダー情報システムである。【００１５】本発明によれば、外国為替証拠金取引を行う投資家が現在価格に関係なく機械的なリピート取引や利益のみに重点を置いて取引をする場合、例えばソフト上のボタンをワンクリックするだけで自動的な値決め注文の仕組みにより、注文から決済まで自動的に行える効果がある。【００１６】つまり、自動的な値決め注文システムの発注執行ボタンをクリックさるだけで、効率的に注文決済を繰り返すことが可能となる。【００１７】また、特定の条件をユーザが決める事により自動的な値決め注文システムの発注執行を行えるようにすれば、全自動的な外国為替証拠金取引を行える効果を発揮する利用方法が期待できる。
【発明を実施するための最良の形態】
【００１８】以下、本発明の実施形態を図１〜図４に基づいて説明する。【００１９】図１において、端末システム内ローカルに保存するパスワードは暗号化して保存している。【００２０】図２において、ステップ１〜３を成行注文の手順を示す。ステップ４〜６は指値・逆指値注文の手順を示す。【００２１】図３において、約定履歴一覧の表示例を示す【００２２】図４において、約定履歴一覧よりポジションを選択して、注文内容変更や強制決済を行う手順を示す。
【図面の簡単な説明】
【００２３】
【図１】本発明のＩＤパス設定画面図。
【図２】本発明の発注までの流れ図。
【図３】本発明の発注後の約定一覧図。
【図４】本発明の約定後の注文変更流れ図。
【符号の説明】
【００２４】１  注文執行ボタン
２  利益設定ボックス
３  損益設定ボックス
４  指値・逆指値注文設定ボックス
５  ポジション選択チェックボックス
６  注文上書きボタン
７  ポジション強制決済ボタン
【図１】
2010231749.tif 000003
【図２】
2010231749.tif 000004
【図３】
2010231749.tif 000005
【図４】
2010231749.tif 000006